(57)【特許請求の範囲】
【請求項１】
移動着信コールのためのコール再送方法であって、コールを受け取り、被呼加入者に対してコール再送がアクチベートされたかどうかチェックし、そしてアクチベートされたコール再送であって、発呼加入者への中間通知が関連したコール再送をスタートさせるという段階を備えた方法において、
コール再送の場合にコールの形式がスピーチコールであるかデータコールであるかをチェックし、
データコールの場合には中間通知を阻止し、そして
スピーチコールの場合には中間通知を許す、という段階を備えたことを特徴とする方法。
【請求項２】
第１交換機においてコールを受け取り；
被呼加入者のディレクトリ番号によって指示された第１データベースへルート情報質問を行い；
第１データベースから、被呼加入者がそのエリア内に位置しているところの第２データベースへローミング番号質問を行い；
第２データベースから第１データベースへそして更に第１交換機へ割り当てられたローミング番号を送信し；
ローミング番号に基づいて、第１交換機から、上記第２データベースのエリアにサービスする第２交換機へコールをルート指定し；
第２交換機において被呼加入者が通話中であるか被呼加入者に到達しないか又は被呼加入者が応答しないことを観察し；
第２データベースにおいてコール再送が被呼加入者に対してアクチベートされたかどうかチェックし；
アクチベートされたコール再送を開始し；
第２データベースから得た情報又はコール設定メッセージにおける情報に基づいてコールがスピーチコールであるかデータコールであるかをチェックし；
データコールの場合にコール再送に関連する中間通知を阻止し；そして
スピーチコールの場合にコール再送に関連する中間通知を許すという段階を備えた請求項１に記載の方法。
【請求項３】
第２交換機により行われる加入者情報質問に応答して、第２データベースから第２交換機へコールの形式に関する上記情報を送信する請求項２に記載の方法。
【請求項４】
第１交換機においてコールを受け取り；
被呼加入者のディレクトリ番号によって指示された第１データベースへルート情報質問を行い；
第１データベースにおいてコール再送が被呼加入者に対してアクチベートされることを観察し；
コール再送をスタートし；
第１データベースから得た情報又はコール設定メッセージにおける情報に基づいてコールがスピーチコールであるかデータコールであるかをチェックし；
データコールの場合にコール再送に関連する中間通知を阻止し；そして
スピーチコールの場合にコール再送に関連する中間通知を許すという段階を備えた請求項１に記載の方法。
【請求項５】
被呼加入者に利用できる各サービスに対し専用のディレクトリ番号を第１データベースに維持し、
データベースが被呼加入者のディレクトリ番号に対するルート情報質問を受け取りそして被呼加入者に対してコール再送がアクチベートされたときに、コール再送の表示、コール再送番号、及びコールの形式に関する情報を第１データベースから第１交換機へ送信する請求項４に記載の方法。
【請求項６】
上記コール形式情報は、推奨勧告ＧＳＭ ０４．０８に基づくベアラ・ケイパビリティ・インフォメーション・エレメントである請求項１ないし５のいずれかに記載の方法。
【請求項７】
上記コール形式情報は、推奨勧告ＥＴＳ ３００１０２−１／Ｑ．９３１に基づくベアラ・ケイパビリティ・インフォメーション・エレメントであって、これには、ハイ・レーヤ・コンパチビリティ又はロー・レーヤ・コンパチビリティ情報エレメントが関連され、これらは、ＥＴＳ ３００１０２−１／Ｑ．９３１ ＨＬＣ及びＥＴＳ ３００１０２−１／Ｑ．９３１ ＬＬＣに各々定義されたものである請求項１ないし５のいずれかに記載の方法。
【請求項８】
移動ステーション(MS)と、移動交換機(MSC,GMSC)と、位置データ及びアクチベートされるサービスのようなユーザデータを維持するための加入者データベース(VLR,HLR)とを備えた移動通信システムにおいてコール再送を実行する構成体であって、アクチベートされたコール再送の実行に関連して発呼加入者へ中間通知を行うための手段(82,84)が移動交換機(MSC,GMSC)に設けられた構成体において、上記移動交換機(MSC,GMSC)は、コール再送の場合に移動着信コールの形式がデータコールであるかスピーチコールであるかをチェックし、そしてデータコールの場合は中間通知を阻止し、スピーチコールの場合は中間通知を許すように構成されたことを特徴とする構成体。
【請求項９】
加入者データベース(VLR,HLR)は、移動交換機によって行われる質問に応答してコールの形式に関する情報を移動交換機(MSC,GMSC)へ与えるように構成された請求項８に記載の構成体。
【請求項１０】
上記コール形式情報は、推奨勧告ＧＳＭ ０４．０８に基づくベアラ・ケイパビリティ・インフォメーション・エレメントである請求項８又は９に記載の構成体。
【請求項１１】
上記のコール形式情報は、推奨勧告ＥＴＳ ３００１０２−１／Ｑ．９３１に基づくベアラ・ケイパビリティ・インフォメーション・エレメントであって、これには、ハイ・レーヤ・コンパチビリティ又はロー・レーヤ・コンパチビリティ情報エレメントが関連され、これらは、ＥＴＳ ３００１０２−１／Ｑ．９３１ ＨＬＣ及びＥＴＳ ３００１０２−１／Ｑ．９３１ ＬＬＣに各々定義されたものである請求項８又は９に記載の構成体。
【発明の詳細な説明】
発明の分野
本発明は、移動着信コールのためのコール再送方法であって、コールを受け取り、被呼加入者に対してコール再送がアクチベートされたかどうかチェックし、そしてアクチベートされたコール再送であっておそらく発呼加入者への中間通知が関連されたコール再送をスタートさせるという段階を備えた方法に係る。
先行技術の説明
今日の移動通信システムは、従来のスピーチ伝送に加えて、種々のデータ送信特徴を加入者に提供する。移動通信システムのデータサービスは、一般に、テレサービスとベアラサービスに分類される。ベアラサービスとは、ユーザとネットワークインターフェイスとの間に信号送信を与える遠隔通信サービスである。例えば、モデムサービスはベアラサービスであり、一方、電話サービス及びファックスサービスはテレサービスである。データサービスは、一般に、回路切り換え式のもので、これは、あるサービスを用いるときに、加入者が通話を行い、その間に、スピーチ通話中のスピーチ送信と同様にデータ送信が行われることを意味する。しかしながら、移動通信システムは、回路切り換え接続がスピーチ送信に使用されるか又はデータ送信に使用されるかによって全ての状況を考慮するように設計されるのではなく、異なる形式のコールを同様に取り扱うものであり、従って、ある状況において問題が生じる。
今日の移動通信システムの１つの加入者機能に、加入者がアクチベートできるコール再送がある。コール再送は、常に通話が所与の新しい番号へ送られるようにする無条件コール再送でもよい。又、コール再送は、条件に応じて、例えば、加入者が通話中であるか、加入者が応答できないか又は加入者に到達し得ないときに行うように構成することもできる。
今日の移動通信システムの別の特徴は、移動交換機が通話の異なる段階中に音声フォーマット情報を加入者へ交換できることである。音声情報は、通知情報と可聴トーンとに分けることができる。通知情報は、記録又は合成されたスピーチメッセージである。通知情報は、発呼加入者に対して課金できるか又は無料である。又、通知情報は、通話設定中に発呼加入者へ切り換えることもでき、この場合に、いわゆる中間通知が問題となる。例えば、コール再送に関連して、発呼加入者は、特殊な中間通知と共にコールを送ることが知らされる。移動通信ネットワークのオペレータは、コール再送についてのこの形式の課金可能な中間通知を行おうとする。というのは、さもなくば、発呼加入者もコール再送番号の加入者もオペレータのネットワーク内にいない場合にネットワークの機能がこの種の状況において無料で使用されることになるからである。
この形式の中間通知は、データコールに関連して問題を生じ勝ちである。モデム及びファックスモデムの両方が時間切れ制御のもとで応答信号を待機する。ファックスモデムの時間切れは、３０ないし４０ｓであり、そしてモデムの時間切れは、規格に定められていない。コール再送に関連して行われる中間通知は、コール設定時間を所定の時間限界を越えるように長引かせ、その結果、発呼側のデータモデム又はファックスモデムは、コールの試みが失敗しそしてコールが切断されたと仮定する。データコールに関しては、特に無応答のコール再送について全ての長い中間通知が問題となる。これに加えて、モデム及びファックスターミナルは、通知情報を使用するすべがなく、従って、加入者は不必要な通知情報に対して支払いしなければならなくなる。他の全てのデータターミナル装置についても同じことが言える。最も不都合な状態は、加入者が課金可能な中間通知に対して課金されるが、その中間通知によって生じた遅延によりコール設定が失敗に終わる場合である。
従って、データコールに関連して中間通知が行われるのを阻止する必要性が存在する。今日の移動通信システムにおいては、この必要性は考慮に入れられておらず、中間通知を行う交換機、例えば、トランシット交換機又はターミナル交換機は、現在のところ、コール再送に関連した移動着信コールの形式を知ることすらなく、コールの形式をチェックしそしてデータコールに関連した中間通知を阻止するための設備を備えていない。
発明の要旨
本発明の目的は、コール再送中になされる中間通知によるデータコールのコール設定の失敗を防止すると共に、不必要な中間通知を阻止することである。
これは、冒頭で述べた方法において、コール再送の場合にコールの形式がスピーチコールであるかデータコールであるかをチェックし、データコールの場合に中間通知を阻止し、そしてスピーチコールの場合に中間通知を許すことを特徴とする本発明の方法によって達成される。
又、本発明は、移動ステーションと、移動交換機と、移動データ及びアクチベートされるサービスのようなユーザデータを維持するための加入者データベースとを備えた移動通信システムにおいてコール再送を実行する構成体であって、アクチベートされたコール再送の実行に関連して発呼加入者へ中間通知を行うための手段が移動交換機に設けられた構成体にも係る。この構成体は、本発明によれば、コール再送の場合に移動着信コールの形式がデータコールであるかスピーチコールであるかをチェックしそしてデータコールの場合は中間通知を阻止し、スピーチコールの場合は中間通知を許すように移動交換機が構成されたことを特徴とする。
コールを取り扱う移動交換機は、ネットワークのある加入者データベースにより被呼加入者に対してアクチベートされたコール再送が知らされ、このデータベースは、通常、コールの形式も知っている。或いは又、この情報が、固定のネットワークから送られるべきコールと共に到着することもできる。本発明の好ましい実施形態においては、コールの形式に関連した情報が、例えば、メッセージに含まれて移動交換機へ送信され、そこで、加入者データベースは、コール再送の実行を知らせそして再送を行うべき番号を与える。コール再送を実行する移動交換機は、コールの形式データをチェックし、データコールに関連したコール再送に関する中間通知は削除し、そしてスピーチコールに関連した中間通知は許すことができる。コール再送を実行する移動交換機は、コールをルート指定するトランジット交換機であってもよいし、又はコールがルート指定されるところの移動ステーションにサービスする着信交換機であってもよい。
本発明の実施形態では、着信交換機に関連したコール再送方法は、第１交換機においてコールを受け取り；被呼加入者のディレクトリ番号によって指示された第１データベースへルート情報質問を行い；第１データベースから、被呼加入者がそのエリア内に位置しているところの第２データベースへローミング番号質問を行い；第２データベースから第１データベースへそして更に第１交換機へ割り当てられたローミング番号を送信し；ローミング番号に基づいて、第１交換機から、上記第２データベースのエリアにサービスする第２交換機へコールをルート指定し；第２交換機において被呼加入者が通話中であるか被呼加入者に到達しないか又は被呼加入者が応答しないことを観察し；第２データベースにおいてコール再送が加入者に対してアクチベートされたかどうかチェックし；アクチベートされたコール再送を開始し；第２データベースから得た情報又はコール設定メッセージにおける情報に基づいてコールがスピーチコールであるかデータコールであるかをチェックし；データコールの場合にコール再送におそらく関連する中間通知を阻止し；そしてスピーチコールの場合にコール再送におそらく関連する中間通知を許すという段階を備えている。
本発明の第２の実施形態によれば、トランジット交換機に関連したコール再送方法は、第１交換機においてコールを受け取り；被呼加入者のディレクトリ番号によって指示された第１データベースへルート情報質問を行い；第１データベースにおいてコール再送が被呼加入者に対してアクチベートされることを観察し；コール再送をスタートし；第１データベースから得た情報又はコール設定メッセージにおける情報に基づいてコールがスピーチコールであるかデータコールであるかをチェックし；データコールの場合にコール再送におそらく関連する中間通知を阻止し；そしてスピーチコールの場合にコール再送におそらく関連する中間通知を許すという段階を備えている。
【図面の簡単な説明】
以下、添付図面を参照し、本発明の好ましい実施形態を詳細に説明する。
図１は、移動通信システムの一部分を示す図である。
図２は、ファックス送信に対するＧＳＭシステムのハードウェア構成を示すブロック図である。
図３は、データ送信に対するＧＳＭシステムのハードウェア構成を示すブロック図である。
図４は、ＧＳＭシステムにおける成功裡なコール設定を示す図である。
図５は、ＧＳＭシステムにおけるコール再送に関連したコール設定を示す図である。
図６は、本発明により動作する移動交換機を示すブロック図である。
図７は、ＧＳＭシステムにおけるコール再送に関連した別のコール設定を示す図である。
図８は、移動交換機の本発明の動作を説明するためのフローチャートである。
好ましい実施形態の詳細な説明
本発明は、回路切り換えのデータ及びスピーチコールを確立することのできる移動通信システムに使用することができる。本発明は、パン・ヨーロピアンデジタル移動通信システムＧＳＭ（グルーバル・システムズ・フォア・モービル・コミュニケーション）、及び同じ形式のその後の移動通信システム、例えば、ＤＣＳ１８００（デジタルコミュニケーションシステム）及びＰＣＮ（パーソナルコミュニケーションネットワーク）に特に効果的に使用することができる。以下、本発明の好ましい実施形態は、ＧＳＭシステムでの実施について説明するが、本発明はこれに限定されるものではない。
図１を参照して、ＧＳＭシステムの基本的な要素を簡単に説明し、システムの特徴又は他のエリアはそれ以上取り扱わない。ＧＳＭシステムの詳細な説明に関しては、ＧＳＭ推奨勧告及び文献「移動通信のためのＧＳＭシステム（The GSM system for Mobile Communications）」、Ｍ．モーリー及びＭ．ポーテット著、パライセアウ、フランス、１９９２年、ＩＳＢＮ：２−９５０７１９０−０−７を参照されたい。
移動交換機ＭＳＣは、インバウンド及びアウトバウンドコールの交換を取り扱う。又、この交換機は、公衆交換電話ネットワーク（ＰＳＴＮ）の交換機と同様の形式のタスクを実行する。又、これらのタスクに加えて、ネットワークの加入者レジスタと共働して、加入者位置管理のような移動通話トラフィックのみの特徴である機能も実行する。ＧＳＭシステムは、ホーム位置レジスタＨＬＲ及びビジター位置レジスタＶＬＲを加入者レジスタとして備えている。移動ステーションＭＳは、ベースステーションシステムにより移動交換機ＭＳＣに接続する。ベースステーションシステムＢＳＳは、ベースステーションコントローラＢＳＣ及びベースステーションＢＴＳで構成される。多数のベースステーションＢＴＳを制御するのに１つのベースステーションコントローラＢＳＣが使用される。明瞭化のために、図１は、６個のベースステーションＢＴＳ１−ＢＴＳ６がベースステーションコントローラＢＳＣに接続する１つのベースステーションシステムのみを示している。
ＧＳＭシステムの信号は、次々に送信されるＴＤＭＡフレームより成り、その各々は、８個のＴＤＭＡタイムスロットを含み、これらは論理チャンネルとして使用される。情報は、タイムスロットにおいて送信される高周波バーストとして転送される。論理チャンネルは、セル内に位置した移動無線ステーションＭＳで設定されるコール（スピーチ又はデータ）に対するトラフィックチャンネルと、セル内に位置した移動無線ステーションＭＳで行われる信号送信のためのコントロールチャンネルとを備えている。スピーチ接続又はデータ接続は、トラフィックチャンネルにおいて確立することができる。典型的に、ターミナル装置及び／又は他の送信接続／送信システムにデータ接続を適応させるためにデータ接続の両端に個別の接続アダプタが必要とされる。ターミナル装置に接続された接続アダプタは、通常、ターミナルアダプタと称され、そしてネットワーク端に位置した共通のアダプタは、ネットワークアダプタと称する。
ＧＳＭ推奨勧告によるファックス接続のためのハードウェア構成が図２に示されている。ファックスターミナルは、通常の２線モデム接続により特殊なファックスアダプタ２に接続され、これにより、ファックスターミナルの信号がデータ接続に適応され、データ接続は、移動ステーションＭＳとベースステーションシステムＢＳＳとの間の無線接続により移動交換機ＭＳＣ及びそこに位置したネットワークアダプタＩＷＦへと確立され、このネットワークアダプタは第２のファックスアダプタ８Ａを含んでいる。この第２のファックスアダプタ８Ａは、上記のデータ接続を通常の２線モデム接続に適応させ、例えば、公衆交換電話ネットワークＰＳＴＮ９を経て別のファックスターミナルＢへ送信する。
図３は、モデムによって実行されるデータ送信のためのＧＳＭ推奨勧告によるハードウェア構成を示している。無線ターミナル装置Ａは、移動ステーションＭＳ及びこれに接続されたデータターミナル装置ＤＴＥ１より成る。データの接続は、無線ターミナル装置から、移動ステーションＭＳとベースステーションシステムＢＳＳとの間の無線接続を経て移動交換機ＭＳＣへそして更にデータモデムＭＯＤ１を含むネットワークアダプタＩＷＦへと確立される。データモデムＭＯＤ１は、ラインインターフェイス（モデムインターフェイス）を有し、これは、通常の２線ライン（２ｗ）に接続され、これは、例示的なケースにおいては、公衆交換電話ネットワークＰＳＴＮ９を経て遠隔ターミナル装置Ｂに接続され、この装置は、遠隔モデムＭＯＤ２及びこれに接続されたデータターミナルＤＴＥ２を備えている。ネットワークアダプタのデータモデムＭＯＤ１及び遠隔データモデム１０は、それらの間に確立されたモデム接続を経て通常の仕方で信号送信する。データターミナル装置ＤＴＥ１については、データ接続を経てデータモデムＭＯＤ１の動作を制御し、そしてデータモデムＭＯＤ１へデータを送信すると共に、対応的にそれを受信する。
ＧＳＭシステムにおいては、各サービスは、それ自身のディレクトリ番号、ＭＳＩＳＤＮ、即ち移動加入者ＩＳＤＮ番号を有する。例えば、加入者は、スピーチサービス、ファックスサービス及びモデムサービスに対する番号を有する。この番号付けは、マルチナンバリング構成と称する。マルチナンバリング構成においては、発呼加入者は、どのサービスがどのディレクトリ番号に関連しているか知らねばならない。加入者のサービスは、加入者のホーム位置レジスタＨＬＲで定義される。ホーム位置レジスタＨＬＲにおいては、各ディレクトリ番号は対応するサービスに関連している。更に、あるＢＣＩＥ要素、ベアラ・ケーパビリティ・インフォーメーション・エレメントは、ホーム位置レジスタＨＬＲのＭＳＩＳＤＮ番号、通話形式を指示するＢＣＩＥ要素、及び通話に必要とされるネットワークリソースに関連している。ＢＣＩＥは、ＧＳＭ推奨勧告０４．０８、第４．５．０版、ページ４２３−４３１に説明されている。
将来は、ＩＳＤＮ  ＢＣＩＥをＧＳＭネットワークにおいて上記のＧＳＭ  ＢＣＩＥと一緒に使用することができ、このＩＳＤＮ  ＢＣＩＥは、推奨勧告ＥＴＳ  ３００１０２−１／Ｑ．９３１（ベアラ・ケーパビリティＩＥ）に説明されている。この情報要素は、通話形式情報を直接含まない。というのは、情報要素ハイ・レーヤ・コンパチビリティ（ＨＬＣ）又はロー・レーヤ・コンパチビリティ（ＬＬＣ）がそれと一緒に使用されるからである。これらの要素は、推奨勧告ＥＴＳ  ３００１０２−１／Ｑ．９３１  ＨＬＣ及びＥＴＳ  ３００１０２−１／Ｑ．９３１  ＬＬＣに定義されている。ＩＳＤＮ  ＢＣＩＦ（及びＨＬＣ及び／又はＬＬＣ）は、固定ネットワークからコール設定メッセージにおいて移動交換機に到達する。
以下、図４を参照し、ＧＳＭシステムにおける移動ステーションＭＳの着信コールの設定について説明する。番号付けは、マルチナンバリング構成に従う。段階１において、コールがネットワークの第１トランジット交換機ＧＭＳＣに到達する。このトランジット交換機は、ルート情報質問即ちメッセージ２を、加入者のディレクトリー番号ＭＳＩＳＤＮにより決定された加入者のホーム位置レジスタＨＬＲへ送信する。加入者のＭＳＩＳＤＮ番号（及びおそらくはＩＳＤＮ  ＢＣＩＥ＋ＨＬＣ＋ＬＬＣ）も、このルート情報質問メッセージ２において送信される。位置の更新中に、加入者がエリア内に位置しているビジター位置レジスタＶＬＲの情報が加入者のホーム位置レジスタＨＬＲに対して更新される。この情報に基づいて、ホーム位置レジスタＨＬＲは、移動ステーションローミング番号割り当て要求、即ちメッセージ３をビジター位置レジスタへ送信する。上記ＭＳＩＳＤＮに関連したＢＣＩＥ（又はメッセージ２において到達するＩＳＤＮ  ＢＣＩＥ）も、移動ステーションローミング番号割り当て要求においてビジター位置レジスタＶＬＲに送信され、このＢＣＩＥは、例えば、コールの形式がデータコールであるかスピーチコールであるかを指示する。ビジター位置レジスタＶＬＲは、これが受け取ったＢＣＩＥを記憶し、そして移動ステーションローミング番号ＭＳＲＮを割り当てる。ビジター位置レジスタは、これが割り当てたローミング番号を応答メッセージ５においてホーム位置レジスタＨＬＲへ送信する。次いで、ホーム位置レジスタＨＬＲは、メッセージ６においてローミング番号を、ルート情報を要求した交換機ＧＭＳＣへ更に送信する。ローミング番号スペースは、ビジター位置レジスタＶＬＲがローミング番号を割り当てたところの交換機ＭＳＣへコールが常にルート指定されるように定められる。従って、トランジット交換機ＧＭＳＣは、ローミング番号により指示された移動交換機ＭＳＣへ最初のアドレスメッセージ７を送信することにより、ローミング番号に基づいてコール再送をルート指定することができる。
最初のアドレスメッセージ７を受信した後、交換機ＭＳＣは、ローミング番号分析において、その特定の交換機のエリアにコールが送信されていてこれがそれ以上ルート指定されるのを意図していないことを知らせる。従って、ＭＳＣは、それ自身のビジター位置レジスタＶＬＲから、コール設定のための被呼加入者に関する情報、即ちメッセージ８を次に要求する。通常の状況においては、ビジター位置レジスタＶＬＲは、応答メッセージ９において必要な情報を返送し、この情報は、例えば、ＢＣＩＥを含む。ＭＳＣが、ＢＣＩＥにより要求されたデータ送信リソースを与えることができる場合には、ＧＳＭ推奨勧告によるコール設定信号の送信がＭＳＣとＭＳとの間で行われ、この信号は矢印１０及び１１で示されている。コール設定は、スピーチ送信についてのコール設定であるかデータ送信についてのコール設定であるかに係わりなく上記のように行われる。
前記したように、移動通信システムの加入者は、異なるコール再送機能を定義することができる。無条件のコール再送においては、移動着信コールが常に所与の再送番号へ送られる。条件付き再送においては、ある条件が満足されたとき、例えば、加入者が通話中であるか、移動ステーションに到達しないか、又は移動ステーションに到達したが、加入者が例えば３０秒といったある時間内に応答しないときに、移動着信コールが所定のコール再送番号へ送られる。
ＧＳＭシステムでは、コール再送は、グループに特定に設定されそしてアクチベートされる基本サービスである。マルチナンバリング構成が使用されるときには、移動加入者が各サービスごとに個別のディレクトリー番号ＭＳＩＳＤＮを有している。従って、加入者は、同じグループに他の基本サービスがない場合に、コール再送をサービスに特定に実行することができる。加入者は、例えば、スピーチコールを秘書に送りそしてファックスコールをオフィスのファックス番号に送ることができる。加入者によりアクチベートされたコール再送機能に関する情報は、加入者のホーム位置レジスタＨＬＲに永久的に記憶される。更に、少なくともアクチベートされた条件付きコール再送に関する情報も、加入者にサービスするビジター位置レジスタＶＬＲに与えられてそこに記憶される。
図５は、移動ステーションＭＳの着信コールのコール設定手順を、その移動ステーションにサービスする交換機ＭＳＣにおける関連する条件付きコール再送と共に示している。図５において、コール設定メッセージ及びオペレーション１、２、３、４、５、６、７及び８は、図４について上記したものと全体的に同様である。図５の場合に、ＶＬＲが交換機ＭＳＣから加入者情報要求８を受け取るときに、ＶＬＲは、加入者データにおける移動ステーションＭＳの状態をチェックし、そして例えば、移動ステーションが通話中であることを知らせる。次いで、ＶＬＲは、加入者データにおいて、加入者が通話中であるときに移動加入者が条件付きコール再送をアクチベートしているかどうかチェックする。ＶＬＲは、加入者があるコール再送番号へのこのような条件付きコール再送を有することを知らせそして応答メッセージ９を交換機ＭＳＣへ送信し、このメッセージは、交換機が所与の番号へのコール再送を実行するように指令する。交換機ＭＳＣは、発呼加入者へ中間通知を行う可能性があり、この通知においては、コールがコール再送番号へ送られることが宣言される。この通知は、発呼加入者又は被呼加入者に課金可能である。図５に例示したケースでは、交換機ＭＳＣは、段階１１において発呼加入者へ通知を行い、この通知は、記録されたスピーチ、例えば、テープ録音又は合成されたスピーチである。この通知は、段階１２において、交換機ＭＳＣからトランジット交換機ＧＭＳＣへ送信され、そして段階１３においてそこから更に発呼加入者へ送信される。
このような中間通知は、スピーチコールに関しては問題がない。しかし、この中間通知は、発呼側のモデム又はファックスターミナルが他端のモデム又はファックスターミナルからの応答を典型的に１０ないし４０ｓである所定の時間中のみ待機するデータコールについては問題である。この時間中に応答がない場合には、発呼側モデム又はファックスターミナルがコールを切断する。上記の中間通知は、コール設定に遅延を生じさせ、この遅延は、おそらく、コール再送中に発呼側モデム又はファックスターミナルの時間切れを生じさせ、従って、コールの不必要な解除を生じさせる。
この問題を解消するために、ビジター位置レジスタＶＬＲは、本発明により、コールがデータコールであるかスピーチコールであるかに基づきコール再送コマンド及びコール再送番号が与えられる図５のメッセージ１０における情報を発生するように構成される。この情報は、好ましくは、ＢＣＩＥ要素である。或いは又、移動交換機は、交換機間にＩＳＵＰ信号が使用される場合には、コール設定メッセージ（ＳＥＴＵＰ）においてＢＣＩＥ、ＨＬＣ及びＬＬＣを受け取ってもよい。中間通知にコール再送が関連する場合には、交換機ＭＳＣは、与えられた情報に基づいてコールの形式をチェックし、そしてコールがデータコールである場合に中間通知が発呼加入者へ切り換えられるのを防止するように構成される。コールがスピーチコールである場合には、中間通知が通常の仕方で切り換えられる。これは、データコール中の中間通知による有害な遅延を解消する１つの方法であり、このような遅延は、おそらく、発呼側モデム又はファックスターミナルの時間切れを生じさせる。
図６は、コール再送がトランジット交換機ＧＭＳＣにおいて実行される場合を示している。トランジット交換機は、段階１において、移動着信コールを受け取り、そして段階２において、図４について述べたのと同様に、加入者のホーム位置レジスタＨＬＲに対してルート情報質問を実行する。ＨＬＲは、被呼加入者に対して無条件のコール再送があることを知らせるか、又は加入者がそれ自身をネットワークから切断しそしてこのような状況において加入者に対しコール再送があることを知らせる（段階３）。今日のシステムにおいては、ホーム位置レジスタＨＬＲは、応答メッセージ４においてアクティブなコール再送の通知及びコール再送番号をトランジット交換機ＧＭＳＣに与える。ＧＭＳＣは、コール再送を実行する。中間通知がコール再送に関連する場合に、ＧＭＳＣは、図５の場合のＭＳＣと同様に中間通知を発呼加入者へ切り換える（段階５及び６）。従って、発呼側モデム又はファックスターミナルに関連した問題の遅延が再び発生する。
これは、本発明によれば、ホーム位置レジスタＨＬＲが、応答メッセージ４において、コール再送番号を与えるのに加えて、コールがデータコールであるかスピーチコールであるかの情報を与えるようにして解決される。この情報は、ＢＣＩＥ要素であるのが好ましい。
或いは又、ＧＭＳＣは、ＩＳＤＮ  ＢＣＩＦ、ＨＬＣ及び／又はＬＬＣをコール設定メッセージにおいて得る場合にこれら情報要素を使用することができる。
中間通知がコール再送に関連する場合に、ＧＭＳＣは、コールの形式をチェックし、そしてデータコールの場合には中間通知の切り換えを防止するように構成される。コールがスピーチコールである場合には、中間通知が通常に切り換えられる。又、この状況においては、中間通知によって生じそして発呼側モデム又はファックスターミナルに関して問題であった遅延が回避される。
図７は、移動交換機ＭＳＣに本発明を適用する仕方を示している。明瞭化のために、図７は、交換機の中の、交換マトリクス８３、コール制御器８２、音声通知ユニット８４、ファックスアダプタ８Ａ及びモデム８Ｂのみを示しているが、実際には、ＭＳＣは相当数の異なる装置を備えている。交換マトリクス８３は、ベースステーションシステムＢＳＳから到達する送信ライン１２と、移動交換機から出て行く送信ライン１３との間でスピーチ及びデータ接続を選択的に切り換えるアナログ又はデジタルの交換装置である。このようなデジタル交換機の一例として、ノキア・テレコミュニケーションズＤＸ２２０ＭＳＣを挙げることができる。
スイッチングマトリクス８３と共に、ファックスアダプタ８Ａ及びモデム８Ｂがネットワークアダプタとして接続される。データコールの場合には、コール制御器８２がスイッチングマトリクス８３を制御して必要なアダプタを送信接続に切り換え、図２又は３による接続が形成されるようにする。しかしながら、本発明に関しては、ネットワークアダプタは重要ではない。
又、音声通知ユニット８４も、スイッチングマトリクス８３に接続される。コール制御器８２は、スイッチングマトリクス８３及び音声通知ユニット８４を制御して、ユニット８４を必要に応じてスイッチングマトリクス８３を経て切り換え、発呼又は被呼加入者に通知を行えるようにする。
本発明によれば、交換機のコール制御器８２、例えば、コンピュータは、図８のフローチャートに基づいてコール再送中に音声通知の切り換えを実行するように構成される。段階９１において、コール制御器８２は、ＢＣＩＥを含むコール再送コマンドを受け取る。段階９２において、コール制御器８２は、中間通知がコール再送に関連しているかどうかをチェックする。中間通知がコール再送に関連していない場合には、コール制御は段階９６へ直接進み、コール再送を実行する。中間通知がコール再送に関連している場合には、コール制御器８２は、段階９３及び９４においてＢＣＩＥ（又はＩＳＤＮ  ＢＣＩＥ＋ＨＬＣ＋ＬＬＣ）に基づいてコールの形式をチェックする。コールがデータコールでない場合には、コール制御器８２は、段階９５において、スイッチングマトリクス８３及び音声通知ユニット８４を制御して、中間通知を発呼加入者へ切り換える。コールがデータコールの場合には、コール制御器は、中間通知を除去し、そして段階９５を通り越して直接段階９６へ進み、コール再送を実行する。
添付図面及びそれに関連した上記の説明は、単に本発明を述べたものに過ぎない。本発明は、添付の請求の範囲内でその細部を変更し得る。
【図１】
0003762788.tif 000002
【図２】
0003762788.tif 000003
【図３】
0003762788.tif 000004
【図７】
0003762788.tif 000005
【図４】
0003762788.tif 000006
【図５】
0003762788.tif 000007
【図６】
0003762788.tif 000008
【図８】
0003762788.tif 000009